(57)【要約】【課題】ポインタの位置をより容易に把握することが可能な情報処理装置、情報処理方法および情報処理システムを提供する。【解決手段】加速度を検出して加速度情報を出力するリモコン１０から、加速度情報を受け付ける操作情報取得部３１と、表示画面の領域全体に設定された第一表示領域Ｅ１および第一表示領域Ｅ１の外側に設定された第一仮想領域ＶＥ１において、加速度情報に応じてポインタＰ１を移動させる移動処理と、ポインタＰ１が第一仮想領域ＶＥ１に位置する場合、第一表示領域Ｅ１とポインタＰ１との位置の関係を示す位置表示画像Ｄ１を、表示画面上に表示する位置表示処理とを実行する表示制御部３２とを備える。【選択図】図５Ａ
2015018319.tif 000002
【特許請求の範囲】
【請求項１】
加速度を検出して加速度情報を出力するリモコンから、前記加速度情報を受け付ける操作情報取得部と、
表示画面の領域全体に設定された第一表示領域および前記第一表示領域の外側に設定された第一仮想領域において、前記加速度情報に応じてポインタを移動させる移動処理と、前記ポインタが前記第一仮想領域に位置する場合、前記第一表示領域と前記ポインタとの位置の関係を示す位置表示画像を、前記表示画面上に表示する位置表示処理とを実行する表示制御部とを備える
情報処理装置。
【請求項２】
前記表示制御部は、前記位置表示処理において、
前記第一表示領域の一部の領域に、前記位置表示画像を表示する
請求項１に記載の情報処理装置。
【請求項３】
前記表示制御部は、前記位置表示処理において、
前記位置表示画像の中心に、前記第一表示領域に対応する第二表示領域を配置し、
前記第二表示領域と前記第一仮想領域に対応する第二仮想領域との境界を示す画像と、前記ポインタの位置を示す画像とを表示する
請求項１または２に記載の情報処理装置。
【請求項４】
前記表示制御部は、前記位置表示処理において、
前記位置表示画像の中心に、前記ポインタが位置することを示す画像を配置し、
前記第一表示領域に対応する第二表示領域と前記第一仮想領域に対応する第二仮想領域との境界を示す画像を表示させる
請求項１または２に記載の情報処理装置。
【請求項５】
前記表示制御部は、前記位置表示処理において、前記ポインタの位置に応じて、前記第二表示領域の大きさを変更する
請求項３または４に記載の情報処理装置。
【請求項６】
前記表示制御部は、前記位置表示処理において、
前記第一表示領域の全体に、前記位置表示画像を透過させて表示する
請求項１に記載の情報処理装置。
【請求項７】
前記表示制御部は、前記ポインタの位置に応じて、前記位置表示画像の透過率を変更する
請求項６に記載の情報処理装置。
【請求項８】
前記表示制御部は、前記位置表示処理において、
前記位置表示画像として、前記第一表示領域の端部に、長方形状の領域を設定し、前記長方形状の領域を構成する画素のそれぞれについて、前記ポインタと画素との距離に応じて、前記画素の色を設定する
請求項１に記載の情報処理装置。
【請求項９】
前記画素の輝度値は、前記距離が近いほど大きく、または、前記距離が近いほど小さくなるように設定されている
請求項８に記載の情報処理装置。
【請求項１０】
前記表示制御部は、前記ポインタ位置表示処理により前記位置表示画像が表示された後、前記ポインタが前記第一仮想領域から前記第一表示領域に移動してから予め定められた所定時間が経過した後に、前記位置表示画像の表示を停止する
請求項１〜９のいずれか１項に記載の情報処理装置。
【請求項１１】
角速度を検出するリモコンから出力される角速度情報に応じて、表示画面上に画像を表示する情報処理装置によって実行される情報処理方法であって、
前記情報処理装置が、
前記リモコンから前記加速度情報を受け付けるステップと、
表示画面の領域全体に設定された第一表示領域および前記第一表示領域の外側に設定された第一仮想領域において、前記加速度情報に応じてポインタを移動させるステップと、
前記ポインタが前記第一仮想領域に位置する場合、前記第一表示領域と前記ポインタとの位置の関係を示す位置表示画像を、前記表示画面上に表示するステップとを実行する
情報処理方法。
【請求項１２】
表示画面上に画像を表示する情報処理装置と、加速度を検出して角速度情報を出力するリモコンとを備える情報処理システムであって、
前記情報処理装置は、
加速度を検出して加速度情報を出力するリモコンから、前記加速度情報を受け付ける操作情報取得部と、
表示画面の領域全体に設定された第一表示領域および前記第一表示領域の外側に設定された第一仮想領域において、前記加速度情報に応じてポインタを移動させる移動処理と、前記ポインタが前記第一仮想領域に位置する場合、前記第一表示領域と前記ポインタとの位置の関係を示す位置表示画像を、前記表示画面上に表示する位置表示処理とを実行する表示制御部とを備える
情報処理システム。
【発明の詳細な説明】
【技術分野】
【０００１】
本発明は、情報処理装置、特に、角速度センサを備えるリモコンからの情報に基づいてポインタを操作する情報処理装置、情報処理方法、および、情報処理システムに関する。
【背景技術】
【０００２】
ＴＶ（Ｔｅｌｅｖｉｓｉｏｎ）に映像を出力する機器には、例えば、角速度センサを備えるＲＦ（Ｒａｄｉｏ  Ｆｒｅｑｕｅｎｃｙ）リモコン（ポインティングデバイス）により、表示画面上のポインタを操作させる機器がある（例えば、特許文献１参照）。上記機器としては、例えば、ＳＴＢ（Ｓｅｔ  Ｔｏｐ  Ｂｏｘ）、ＡＶ機器、あるいは、ゲーム機等がある。
【０００３】
ここで、ポインタを表示画面上に設定された表示領域の端まで移動させた場合、さらに、表示領域の外側に向けてポインタを動かすようにリモコンを操作しても、ポインタを動かすことはできない場合がある。
【０００４】
ここで、図９Ａは、ポインタを表示画面の右端まで移動させた場合のＲＦリモコンの軸方向とポインタとの位置関係を示している。図９Ｂは、ＲＦリモコンの軸方向を表示画面の外側に向けた場合のＲＦリモコンの軸方向とポインタとの位置関係を示している。図９Ｃは、図９Ｂの状態から、ＲＦリモコンの軸方向を表示画面に戻した場合のＲＦリモコンの軸方向とポインタとの位置関係を示している。図９Ａ〜図９Ｂにおいて、破線は移動前の状態を、実線は移動後の状態を示している。
【０００５】
図９Ａに示すように、ポインタが表示画面の右端に到達するまでは、ＲＦリモコンの動きに応じて、ポインタは移動する。図９Ｂに示すように、ポインタが表示画面の右端に到達した後は、さらにＲＦリモコンの軸を右側に傾けても、ポインタは移動せず、表示画面の右端に留まる。この状態から、ＲＦリモコンを左側に傾けた場合、ＲＦリモコンが傾き始めると同時にポインタの位置が左方向に移動を開始する。そうすると、図９Ｃに示すように、ＲＦリモコンの軸方向と、ポインタの位置とがずれてしまうことがある。
【０００６】
これに対し、特許文献１に記載の情報処理装置では、表示画面の周囲に、ポインタを移動させることが可能な仮想領域を設けている。この場合には、ＲＦリモコンの軸方向と、ポインタの位置との間にずれは生じない。
【先行技術文献】
【特許文献】
【０００７】
【特許文献１】特開２００５−３２１８７０号公報
【発明の概要】
【発明が解決しようとする課題】
【０００８】
しかしながら、特許文献１に記載の情報処理装置では、ポインタが仮想領域にある場合、ユーザは、ＲＦリモコンの傾きからポインタの位置を推測することになるため、ポインタの位置を把握することが容易ではないという問題がある。
【０００９】
本発明は上述の課題を解決するためになされたものであり、ポインタの位置をより容易に把握することが可能な情報処理装置、情報処理方法および情報処理システムを提供することを目的とする。
【課題を解決するための手段】
【００１０】
上記目的を達成するために、本発明の一態様に係る情報処理装置は、加速度を検出して加速度情報を出力するリモコンから、前記加速度情報を受け付ける操作情報取得部と、表示画面の領域全体に設定された第一表示領域および前記第一表示領域の外側に設定された第一仮想領域において、前記加速度情報に応じてポインタを移動させる移動処理と、前記ポインタが前記第一仮想領域に位置する場合、前記第一表示領域と前記ポインタとの位置の関係を示す位置表示画像を、前記表示画面上に表示する位置表示処理とを実行する表示制御部とを備える。
【００１１】
上記構成の情報処理装置によれば、第一表示領域とポインタの位置との関係を示す画像を表示するので、ユーザは、ポインタの位置を視覚的により容易に把握することが可能になる。なお、第一仮想領域は、ポインタが移動可能な領域全体である必要はない。
【００１２】
例えば、前記表示制御部は、前記位置表示処理において、前記第一表示領域の一部の領域に、前記位置表示画像を表示しても良い。
【００１３】
上記構成の情報処理装置によれば、表示画面の一部に、位置表示画面を表示するので、ユーザは、ポインタの位置を視覚的により容易に把握することが可能になる。また、表示画面の一部に表示することから、表示画面に元々表示される画像の視認を妨げるのを低減することが可能になる。
【００１４】
また、前記表示制御部は、前記位置表示処理において、前記位置表示画像の中心に、前記第一表示領域に対応する第二表示領域を配置し、前記第二表示領域と前記第一仮想領域に対応する第二仮想領域との境界を示す画像と、前記ポインタの位置を示す画像とを表示しても良いし、前記表示制御部は、前記位置表示処理において、前記位置表示画像の中心に、前記ポインタが位置することを示す画像を配置し、前記第一表示領域に対応する第二表示領域と前記第一仮想領域に対応する第二仮想領域との境界を示す画像を表示させても良い。
【００１５】
上記構成の情報処理装置によれば、位置表示画像として、第一表示領域と第一仮想領域との縮小画像を表示するので、ユーザは、ポインタの位置を視覚的により容易に把握することが可能になる。
【００１６】
また、前記表示制御部は、前記位置表示処理において、前記ポインタの位置に応じて、前記第二表示領域の大きさを変更しても良い。
【００１７】
上記構成の情報処理装置によれば、ポインタの位置に応じて第二表示領域の大きさを変更するので、ポインタの位置に拘わらず、第一表示領域とポインタの位置との関係を視覚的により容易に把握することが可能になる。
【００１８】
また、前記表示制御部は、前記位置表示処理において、前記第一表示領域の全体に、前記位置表示画像を透過させて表示しても良い。
【００１９】
上記構成の情報処理装置によれば、位置表示画像を第一表示領域の全体に透過して表示するので、ユーザは、ポインタの位置を視覚的により容易に把握することが可能になる。
【００２０】
また、前記表示制御部は、前記ポインタの位置に応じて、前記位置表示画像の透過率を変更しても良い。
【００２１】
上記構成の情報処理装置によれば、ポインタの位置に応じて透過率を変更するので、ユーザは、ポインタと表示画面との距離をより容易に把握可能になる。
【００２２】
また、前記表示制御部は、前記位置表示処理において、前記位置表示画像として、前記第一表示領域の端部に、長方形状の領域を設定し、前記長方形状の領域を構成する画素のそれぞれについて、前記ポインタと画素との距離に応じて、前記画素の色を設定しても良い。
【００２３】
上記構成の情報処理装置によれば、ポインタの位置を示すバーを画面の一端または隣接する二辺の端部に設け、画素の色によりポインタの位置を示すので、表示画面上に元々表示されている画像の視認を妨げることなく、ポインタの位置を示すことが可能になる。
【００２４】
また、前記画素の輝度値は、前記距離が近いほど大きく、または、前記距離が近いほど小さくなるように設定されていても良い。
【００２５】
上記構成の情報処理装置によれば、ポインタとの距離が近い画素ほど、輝度が大きくまたは小さくなるように構成されているので、簡単な構成で、ポインタの位置を示すことが可能になる。
【００２６】
また、前記表示制御部は、前記ポインタ位置表示処理により前記位置表示画像が表示された後、前記ポインタが前記第一仮想領域から前記第一表示領域に移動してから予め定められた所定時間が経過した後に、前記位置表示画像の表示を停止しても良い。
【００２７】
上記構成の情報処理装置によれば、ポインタが第一仮想領域から第一表示領域に移動した後、所定時間（例えば、３秒）が経過した後に、位置表示画像の表示を停止するので、位置表示画像の表示と表示停止（消去）とが頻繁に行われるのを低減できる。
【００２８】
上記目的を達成するために、本発明の一態様に係る情報処理システムは、表示画面上に画像を表示する情報処理装置と、加速度を検出して角速度情報を出力するリモコンとを備える情報処理システムであって、前記情報処理装置は、加速度を検出して加速度情報を出力するリモコンから、前記加速度情報を受け付ける操作情報取得部と、表示画面の領域全体に設定された第一表示領域および前記第一表示領域の外側に設定された第一仮想領域において、前記加速度情報に応じてポインタを移動させる移動処理と、前記ポインタが前記第一仮想領域に位置する場合、前記第一表示領域と前記ポインタとの位置の関係を示す位置表示画像を、前記表示画面上に表示する位置表示処理とを実行する表示制御部とを備える。
【００２９】
なお、本発明は、このような特徴的な処理部を備える情報処理装置として実現することができるだけでなく、情報処理装置に含まれる特徴的な処理部が実行する処理をステップとする情報処理方法として実現することができる。また、情報処理装置に含まれる特徴的な処理部としてコンピュータを機能させるためのプログラムまたは情報処理方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体あるいはインターネット等の通信ネットワークを介して流通させることができるのは、言うまでもない。
【発明の効果】
【００３０】
本発明によると、ポインタの位置をより容易に把握することが可能な情報処理装置、情報処理方法および情報処理システムを提供する。
【図面の簡単な説明】
【００３１】
【図１】情報処理システムの一例を示す図である。
【図２】リモコンの内部構成の一例を示すブロック図である。
【図３】ＳＴＢの構成の一例を示すブロック図である。
【図４Ａ】リモコンの軸の傾きと、ポインタの位置と、表示画面（第一表示領域）との関係の一例を示す図である。
【図４Ｂ】リモコンの軸の傾きと、ポインタの位置と、表示画面（第一表示領域）との関係の一例を示す図である。
【図４Ｃ】リモコンの軸の傾きと、ポインタの位置と、表示画面（第一表示領域）との関係の一例を示す図である。
【図５Ａ】実施の形態１における位置表示画像の一例を示す図である。
【図５Ｂ】実施の形態１における位置表示画像の一例を示す図である。
【図６Ａ】実施の形態２における位置表示画像の一例を示す図である。
【図６Ｂ】実施の形態２における位置表示画像の一例を示す図である。
【図７】実施の形態３における位置表示画像の一例を示す図である。
【図８Ａ】実施の形態４における位置表示画像の一例を示す図である。
【図８Ｂ】実施の形態４における位置表示画像の一例を示す図である。
【図８Ｃ】実施の形態４における位置表示画像の一例を示す図である。
【図８Ｄ】実施の形態４における位置表示画像の一例を示す図である。
【図９Ａ】従来のリモコンの軸の傾きと、ポインタの位置と、表示画面（第一表示領域）との関係の一例を示す図である。
【図９Ｂ】従来のリモコンの軸の傾きと、ポインタの位置と、表示画面（第一表示領域）との関係の一例を示す図である。
【図９Ｃ】従来のリモコンの軸の傾きと、ポインタの位置と、表示画面（第一表示領域）との関係の一例を示す図である。
【発明を実施するための形態】
【００３２】
以下、本発明の実施の形態について、図面を用いて詳細に説明する。なお、各図は、必ずしも各寸法あるいは各寸法比等を厳密に図示したものではない。
【００３３】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３４】
（実施の形態１）
実施の形態１の情報処理装置、情報処理方法および情報処理システムについて、図１〜図５Ｂを基に説明する。
【００３５】
図１は、情報処理システム１の一例を示す図である。図１に示すように、情報処理システム１は、リモコン１０と、表示画面を有する液晶ディスプレイ２０と、情報処理装置の一例であるＳＴＢ３０とを備えている。
【００３６】
［１−１．リモコン１０の構成］
リモコン１０の構成について、図１および図２を基に説明する。図２は、リモコン１０の内部構成の一例を示すブロック図である。
【００３７】
リモコン１０は、ＳＴＢ３０を操作するためのリモコンである。リモコン１０は、図１および図２に示すように、１または複数のボタン（図示せず）と、角速度検出部１１と、ボタン入力検出回路１２と、ボタン情報生成回路１３と、送信部１４とを備えている。
【００３８】
１または複数のボタンとしては、例えば、ＳＴＢ３０のＯＮ状態とＯＦＦ状態とを切り替える電源ボタン等がある。
【００３９】
角速度検出部１１は、角速度を検出するセンサである。より具体的には、角速度検出部１１は、例えば、液晶ディスプレイ２０の表示画面に水平なＸ軸方向（図１参照）の移動量を特定するための加速度とＹ軸方向（図１参照）の移動量を特定するための加速度とを角速度として検出する。図１では、表示画面の横方向をＸ軸方向、表示画面の縦方向をＹ軸方向としている。さらに、角速度検出部１１は、検出した角速度を示す角速度情報を、送信部１４を介してＳＴＢ３０に送信する。
【００４０】
ボタン入力検出回路１２は、押されたボタンを検出する回路である。
【００４１】
ボタン情報生成回路１３は、ボタン入力検出回路１２からの情報に基づいて、押されたボタンを示すボタン情報を生成する回路である。ボタン情報生成回路１３は、生成したボタン情報を、送信部１４を介してＳＴＢ３０に送信する。
【００４２】
送信部１４は、ＳＴＢ３０と無線で通信を行うためのインターフェースであり、角速度情報およびボタン情報等の送信を行う。
【００４３】
［１−２．ＳＴＢ３０の構成］
ＳＴＢ３０の構成について、図３を基に説明する。図３は、ＳＴＢ３０の構成の一例を示すブロック図である。
【００４４】
ＳＴＢ３０は、例えば、ＡＮＤＲＯＩＤ（登録商標）を利用可能な装置であり、図３に示すように、操作情報取得部３１と、表示制御部３２と、記憶部３３とを備えている。なお、本実施の形態では、ＳＴＢ３０は、ＣＰＵ（Ｃｅｎｔｒａｌ  Ｐｒｏｃｅｓｓｉｎｇ  Ｕｎｉｔ）を備えており、操作情報取得部３１および表示制御部３２は、例えば、本実施の形態の情報処理方法を実行するコンピュータプログラム（ソフトウェア）を、ＣＰＵが実行することにより実現される。
【００４５】
操作情報取得部３１は、リモコン１０から、無線通信により、角速度情報とボタン情報とを受け付ける。
【００４６】
表示制御部３２は、（１）ポインタの位置の制御と、（２）液晶ディスプレイ２０に表示する画像の制御とを行う。
【００４７】
（１）ポインタの位置の制御では、表示制御部３２は、液晶ディスプレイ２０の表示画面全体に第一表示領域を設定し、第一表示領域の外側に第一仮想領域を設定する。
【００４８】
表示制御部３２は、操作情報取得部３１から受け付けた角速度情報に応じて、ポインタの位置、例えば、ＸＹ座標を適宜設定する（移動処理）。例えば、角速度情報にＸ軸方向の加速度が含まれる場合は、ポインタの位置を、Ｘ軸方向に、加速度の大きさに応じた距離に移動させる。角速度情報にＹ軸方向の加速度が含まれる場合は、ポインタの位置を、Ｙ軸方向に、加速度の大きさに応じた距離に移動させる。
【００４９】
言い換えると、ユーザは、リモコン１０の表示画面に対する角度を変えることにより、ポインタの位置を移動させることができる。ここで、図４Ａ〜図４Ｃは、リモコン１０の軸ＡＸの傾きと、ポインタの位置と、表示画面（第一表示領域）との関係の一例を示す図である。本実施の形態では、ポインタは、第一表示領域だけでなく、第一仮想領域上で移動可能である。
【００５０】
（２）液晶ディスプレイ２０に表示する画像の制御では、表示制御部３２は、表示画面上に、ＳＴＢ３０で実行されるアプリケーションの画像と、ポインタの画像と、位置表示画像とを表示する。
【００５１】
より詳細には、表示制御部３２は、ポインタの位置にかかわらず、表示画面上に、アプリケーションの画像を表示させる。
【００５２】
表示制御部３２は、ポインタが第一表示領域に位置するときに、表示画面上にポインタの画像を表示する。
【００５３】
表示制御部３２は、ポインタが第一仮想領域に位置するときに、表示画面上に第一表示領域とポインタの位置との関係を示す位置表示画像を表示し（位置表示処理）、ポインタが第一表示領域上にあるときは、表示画面上から位置表示画像を消去する。但し、本実施の形態の表示制御部３２は、ポインタが第一表示領域と第一仮想領域との境界付近にある場合に、位置表示画像の表示と消去とが頻繁に繰り返されるのを低減するため、ポインタが第一仮想領域から第一表示領域に移動してから、所定の時間、例えば、３秒を経過した後に、位置表示画像を消去する。なお、位置表示画像の表示は、本実施の形態では、ポインタが第一表示領域から第一仮想領域に移動した後直ぐに行われる。
【００５４】
記憶部３３は、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等、任意の記憶回路を用いて構成されている。記憶部３３には、本実施の形態では、上述したコンピュータプログラム、ＳＴＢ３０で実行されるアプリケーションの画像、ポインタの画像、位置表示画像等が記憶されている。
【００５５】
［１−３．ＳＴＢ３０の動作（位置表示画像の表示方法）］
ＳＴＢ３０の動作について、図５Ａおよび図５Ｂを基に説明する。
【００５６】
図５Ａは、位置表示画像Ｄ１の一例を示す図である。図５Ｂは、第一表示領域Ｅ１とポインタＰ１との距離が、図５Ａよりも大きい場合の位置表示画像Ｄ１の一例を示す画像である。
【００５７】
図５Ａでは、液晶ディスプレイ２０の表示画面の全面に、第一表示領域Ｅ１が設定され、第一表示領域Ｅ１の周囲に、第一仮想領域ＶＥ１が設定されている。
【００５８】
また、図５Ａでは、第一表示領域Ｅ１の一部に、位置表示画像Ｄ１が表示されている。位置表示画像Ｄ１には、第一表示領域Ｅ１を縮小した第二表示領域ＤＥ１と、第一仮想領域ＶＥ１を縮小した第二仮想領域ＤＶＥ１と、ポインタＰ１の画像を縮小したポインタＤＰ１の画像とが表示されている。なお、位置表示画像Ｄ１の全面に、第二仮想領域ＤＶＥ１が対応している。つまり、位置表示画像Ｄ１の大きさと第二仮想領域ＤＶＥ１の大きさは同じである。また、第一仮想領域ＶＥ１に対する第二仮想領域ＤＶＥ１の縮小率と、第一表示領域Ｅ１に対する第二表示領域ＤＥ１の縮小率とは同じである。
【００５９】
図５Ｂは、ポインタＰ１と第一表示領域Ｅ１との距離が、図５Ａよりも大きい場合の位置表示画像Ｄ１の一例を示している。図５Ｂの場合、ポインタＰ１は、図５Ａにおいて設定された第一仮想領域ＶＥ１のさらに外部に移動していることから、表示制御部３２は、図５Ｂに示すように、第一仮想領域ＶＥ１の大きさをポインタＰ１が含まれるように拡大している。このため、図５Ｂにおける位置表示画像Ｄ１の第二表示領域ＤＥ１の大きさは、図５Ａにおける第二表示領域ＤＥ１の大きさよりも小さくなっている。このように構成することで、ユーザは、ポインタＰ１が表示画面から遠ざかったことをより視覚的に把握することが可能になる。
【００６０】
なお、位置表示画像Ｄ１の位置および大きさは、背後に表示されるアプリケーションの画像の視認を妨げないように設定しても良い。また、位置表示画像Ｄ１の位置および大きさは、ユーザが任意に設定および変更できるように構成しても良い。さらに、位置表示画像Ｄ１の大きさは、ポインタＰ１と第一表示領域Ｅ１との距離に応じて変更しても良い。例えば、距離が大きくなるほど位置表示画像Ｄ１の大きさを大きくしても良い。
【００６１】
［１−４．効果等］
本実施の形態のＳＴＢ３０は、ポインタが第一仮想領域に位置するときは、表示画面の一部に、第一表示領域Ｅ１とポインタＰ１の位置との関係を示す位置表示画像Ｄ１を表示する。これにより、ユーザは、視覚的にポインタＰ１の位置をより容易に把握することが可能になる。
【００６２】
また、図５Ｂに示すように、ポインタＰ１の位置に応じて、第二表示領域ＤＥ２の大きさを変更することにより、ポインタＰ１の位置に拘わらず、位置表示画像Ｄ１を表示可能になる。
【００６３】
（実施の形態２）
実施の形態２の情報処理装置、情報処理方法および情報処理システムについて、図６Ａおよび図６Ｂを基に説明する。
【００６４】
本実施の形態では、実施の形態１とは、位置表示画像Ｄ２の構成が異なる場合について説明する。
【００６５】
本実施の形態の情報処理システム１は、図１に示す実施の形態１の情報処理システム１と同様に、リモコン１０と、表示画面を有する液晶ディスプレイ２０と、情報処理装置の一例であるＳＴＢ３０とを備えている。
【００６６】
なお、リモコン１０および液晶ディスプレイ２０の構成は同じである。また、ＳＴＢ３０は、液晶ディスプレイ２０の表示画面上に表示する位置表示画像Ｄ２の構成が異なるが、装置構成は実施の形態１と同じである。
【００６７】
［２−１．ＳＴＢ３０の動作（位置表示画像の表示方法）］
本実施の形態のＳＴＢ３０の動作について、図６Ａおよび図６Ｂを基に説明する。
【００６８】
図６Ａは、位置表示画像Ｄ２の一例を示す図である。図６Ｂは、第一表示領域Ｅ１とポインタＰ１との距離が、図６Ａよりも大きい場合の位置表示画像Ｄ２の一例を示す画像である。
【００６９】
図６Ａでは、実施の形態１と同様に、液晶ディスプレイ２０の表示画面の全面に、第一表示領域Ｅ１が設定され、第一表示領域Ｅ１の周囲に、第一仮想領域ＶＥ１が設定されている。
【００７０】
また、図６Ａでは、第一表示領域Ｅ１の全面に、位置表示画像Ｄ２が透過して表示されている。位置表示画像Ｄ２には、第一表示領域Ｅ１を縮小した第二表示領域ＤＥ２と、第一仮想領域ＶＥ１を縮小した第二仮想領域ＤＶＥ２と、ポインタＰ１の画像を縮小したポインタＤＰ２の画像とが含まれている。さらに、本実施の形態の位置表示画像Ｄ２には、第二仮想領域ＤＶＥ２に、ガイドＧ２が設けられている。
【００７１】
なお、図６Ａでは、位置表示画像Ｄ２の全面に、第二仮想領域ＤＶＥ２が対応している。つまり、位置表示画像Ｄ２の大きさと、第二仮想領域ＤＶＥ２の大きさは、第一表示領域Ｅ１の大きさと同じである。また、第一仮想領域ＶＥ１に対する第二仮想領域ＤＶＥ２の縮小率と、第一表示領域Ｅ１に対する第二表示領域ＤＥ２の縮小率とは同じである。
【００７２】
図６Ｂは、ポインタＰ１と第一表示領域Ｅ１との距離が、図６Ａよりも大きい場合の位置表示画像Ｄ２の一例を示している。図６Ｂの場合、位置表示画像Ｄ２の透過率が、図６Ａに示す位置表示画像Ｄ２の透過率よりも、小さくなっている。このように構成することで、ユーザは、ポインタＰ１が表示画面から遠ざかったことをより視覚的に把握することが可能になる。
【００７３】
［２−２．効果等］
本実施の形態のＳＴＢ３０は、ポインタが第一仮想領域に位置するときは、表示画面の全面に、第一表示領域Ｅ１とポインタＰ１との位置の関係を示す位置表示画像Ｄ２を透過させて表示する。これにより、ユーザは、視覚的にポインタＰ１の位置をより容易に把握することが可能になる。
【００７４】
また、図６Ｂに示すように、ポインタＰ１の位置に応じて、位置表示画像Ｄ２の透過率を変化させることにより、ポインタＰ１と表示画面との距離を視覚的により容易に把握可能になる。
【００７５】
（実施の形態３）
実施の形態３の情報処理装置、情報処理方法および情報処理システムについて、図７を基に説明する。
【００７６】
本実施の形態では、実施の形態１および実施の形態２とは、位置表示画像Ｄ３の構成が異なる場合について説明する。
【００７７】
本実施の形態の情報処理システム１は、図１に示す実施の形態１の情報処理システム１と同様に、リモコン１０と、表示画面を有する液晶ディスプレイ２０と、情報処理装置の一例であるＳＴＢ３０とを備えている。
【００７８】
なお、リモコン１０および液晶ディスプレイ２０の構成は同じである。また、ＳＴＢ３０は、液晶ディスプレイ２０の表示画面上に表示する位置表示画像Ｄ３の構成が異なるが、装置構成は実施の形態１と同じである。
【００７９】
［３−１．ＳＴＢ３０の動作（位置表示画像の表示方法）］
本実施の形態のＳＴＢ３０の動作について、図７を基に説明する。
【００８０】
図７は、位置表示画像Ｄ３の一例を示す図である。
【００８１】
図７では、液晶ディスプレイ２０の表示画面の全面に、第一表示領域Ｅ１が設定され、ポインタＰ１を中心とした円形の領域が、第一仮想領域ＶＥ２として設定されている。
【００８２】
また、図７では、第一表示領域Ｅ１の一部に、位置表示画像Ｄ３が表示されている。位置表示画像Ｄ３には、第一仮想領域ＶＥ１を縮小した第二仮想領域ＤＶＥ３と、第一表示領域Ｅ１の一部を縮小した第二表示領域ＤＥ３と、位置表示画像Ｄ３の中心位置（つまり、ポインタＰ１の相対的な位置）を示すドット画像ＤＰ３とが含まれている。さらに、位置表示画像Ｄ３には、第二仮想領域ＤＶＥ３に、ガイドＧ３が設けられている。
【００８３】
なお、図７では、位置表示画像Ｄ３の全面に、第二仮想領域ＤＶＥ３が対応している。つまり、位置表示画像Ｄ３の大きさと第二仮想領域ＤＶＥ３の大きさは同じである。また、第一仮想領域ＶＥ２に対する第二仮想領域ＤＶＥ３の縮小率と、第一表示領域Ｅ１の一部に対する第二表示領域ＤＥ３の縮小率とは同じである。
【００８４】
なお、位置表示画像Ｄ３の位置および大きさは、背後に表示されるアプリケーションの画像の視認を妨げないように設定しても良い。また、位置表示画像Ｄ３の位置および大きさは、ユーザが任意に設定および変更できるように構成しても良い。さらに、位置表示画像Ｄ３の大きさは、ポインタＰ１と第一表示領域Ｅ１との距離に応じて変更しても良い。例えば、距離が大きくなるほど位置表示画像Ｄ３の大きさを大きくしても良い。
【００８５】
［３−２．効果等］
本実施の形態のＳＴＢ３０は、ポインタが第一仮想領域ＶＥ２に位置するときは、表示画面の一部に、第一表示領域Ｅ１とポインタＰ１との位置の関係を示す位置表示画像Ｄ３を表示する。これにより、ユーザは、視覚的にポインタＰ１の位置をより容易に把握することが可能になる。
【００８６】
（実施の形態４）
実施の形態４の情報処理装置、情報処理方法および情報処理システムについて、図８Ａ〜図８Ｄを基に説明する。
【００８７】
本実施の形態では、実施の形態１とは、位置表示画像Ｄ４の構成が異なる場合について説明する。
【００８８】
本実施の形態の情報処理システム１は、図１に示す実施の形態１の情報処理システム１と同様に、リモコン１０と、表示画面を有する液晶ディスプレイ２０と、情報処理装置の一例であるＳＴＢ３０とを備えている。
【００８９】
なお、リモコン１０および液晶ディスプレイ２０の構成は同じである。また、ＳＴＢ３０は、液晶ディスプレイ２０の表示画面上に表示する位置表示画像Ｄ４の構成が異なるが、装置構成は実施の形態１と同じである。
【００９０】
［４−１．ＳＴＢ３０の動作（位置表示画像の表示方法）］
本実施の形態のＳＴＢ３０の動作について、図８Ａ〜図８Ｄを基に説明する。
【００９１】
図８Ａ〜図８Ｄは、位置表示画像Ｄ４の一例を示す図である。
【００９２】
図８Ａ〜図８Ｄでは、実施の形態１と同様に、液晶ディスプレイ２０の表示画面の全面に、第一表示領域Ｅ１が設定され、第一表示領域Ｅ１の周囲に、第一仮想領域ＶＥ１が設定されている。
【００９３】
図８Ａは、ポインタＰ１が第一表示領域Ｅ１の図面右側に位置している場合を示している。このとき、表示制御部３２は、表示画面の右端に、位置表示画像Ｄ４として、短冊状の画像（バー）を表示する。短冊状の画像を構成する各画素の輝度値は、ポインタＰ１との距離が近いほど小さくなるように設定されている。同様にして、ポインタＰ１が図面上側、左側、下側に位置する場合は、表示画面の上端、左端、下端に同じ構成の画像を表示する。
【００９４】
図８Ｂは、ポインタＰ１が第一表示領域Ｅ１の図面右上側に位置している場合を示している。このとき、表示制御部３２は、表示画面の右端および上端に、位置表示画像Ｄ４として、短冊状の画像（バー）を表示する。位置表示画像Ｄ４を構成する各画素の輝度値は、上述したように、ポインタＰ１との距離が近いほど小さくなるように設定されている。同様にして、ポインタＰ１が図面右下、左上、左下側に位置する場合は、表示画面の右端および上端、左端および上端、左端および下端に同じ構成の画像を表示する。
【００９５】
このように構成すれば、ユーザがポインタＰ１の位置する方向を容易に把握することが可能になる。
【００９６】
また、本実施の形態では、図８Ｃおよび図８Ｄに示すように、位置表示画像Ｄ４を構成する全画素の輝度の平均値が、ポインタＰ１と第一表示領域Ｅ１との距離が遠いほど、小さくなるように構成されている。これにより、ユーザは、ポインタＰ１と第一表示領域Ｅ１との距離を容易に把握することが可能になる。
【００９７】
なお、位置表示画像Ｄ４を構成する各画素の輝度値を、ポインタＰ１との距離が近いほど大きくなるように設定し、位置表示画像Ｄ４を構成する全画素の輝度の平均値が、ポインタＰ１と第一表示領域Ｅ１との距離が遠いほど、大きくなるように構成しても良い。
【００９８】
［４−２．効果等］
本実施の形態のＳＴＢ３０は、位置表示画像Ｄ４内の輝度値の変化およびバーの配置により、ポインタＰ１の位置する方向を把握することが可能になり、位置表示画像Ｄ４の輝度の平均値（バー全体の明るさ）により、ポインタＰ１と第一表示領域Ｅ１との距離を把握することが可能になる。
【００９９】
（他の実施の形態）
以上、本発明の実施の形態に係る情報処理装置について説明したが、本発明は、この実施の形態に限定されるものではない。
【０１００】
（１）上記実施の形態１〜４では、表示制御部３２は、ポインタが第一仮想領域から第一表示領域に移動した後に、位置表示画像を消去するように構成したが、これに限るものではない。位置表示画像を常時表示するように構成しても良い。
【０１０１】
（２）上記実施の形態１〜４では、リモコンが、ＲＦリモコンである場合を例に説明したが、マウス等のリモコンであっても良い。
【０１０２】
（３）上記実施の形態１〜４では、情報処理装置が、ＡＮＤＲＯＩＤ（登録商標）を利用可能なＳＴＢ３０である場合を例に説明したが、これに限るものではない。ゲーム機、あるいは、ＡＶ機器等に適用しても良い。
【０１０３】
（４）また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１０４】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０５】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０６】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１０７】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１０８】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０９】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１１０】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１１１】
さらに、上記実施の形態及び上記変形例をそれぞれ組み合わせるとしても良い。
【産業上の利用可能性】
【０１１２】
本発明は、ＲＦリモコンあるいはマウス等のリモコンにより、ポインタの位置の制御を行う機器、例えば、ＳＴＢ、ゲーム機、あるいは、ＡＶ機器等に適用できる。
【符号の説明】
【０１１３】
１      情報処理システム
１０    リモコン
１１    角速度検出部
１２    ボタン入力検出回路
１３    ボタン情報生成回路
１４    送信部
２０    液晶ディスプレイ
３０    ＳＴＢ
３１    操作情報取得部
３２    表示制御部
３３    記憶部
Ｅ１    第一表示領域
ＤＥ１、ＤＥ２、ＤＥ３  第二表示領域
ＶＥ１、ＶＥ２  第一仮想領域
ＤＶＥ１、ＤＶＥ２、ＤＶＥ３  第二仮想領域
Ｇ２、Ｇ３    ガイド
Ｐ１、ＤＰ１、ＤＰ２    ポインタ
ＤＰ３  ドット画像
Ｄ１、Ｄ２、Ｄ３、Ｄ４    位置表示画像
【図１】
2015018319.tif 000003
【図２】
2015018319.tif 000004
【図３】
2015018319.tif 000005
【図４Ａ】
2015018319.tif 000006
【図４Ｂ】
2015018319.tif 000007
【図４Ｃ】
2015018319.tif 000008
【図５Ａ】
2015018319.tif 000009
【図５Ｂ】
2015018319.tif 000010
【図６Ａ】
2015018319.tif 000011
【図６Ｂ】
2015018319.tif 000012
【図７】
2015018319.tif 000013
【図８Ａ】
2015018319.tif 000014
【図８Ｂ】
2015018319.tif 000015
【図８Ｃ】
2015018319.tif 000016
【図８Ｄ】
2015018319.tif 000017
【図９Ａ】
2015018319.tif 000018
【図９Ｂ】
2015018319.tif 000019
【図９Ｃ】
2015018319.tif 000020